(57)【特許請求の範囲】
【請求項１】
脈動した水流を洗浄用水として吐出するノズルヘッドと、
脈動していない水流を洗浄用水として吐出するシャワーヘッドと、
洗浄用水を貯水するタンクと、
水道または給湯器等の外部設備から洗浄用水を取り込む洗浄用水取込部と、
前記洗浄用水取込部で取り込まれた洗浄用水を前記タンクまたは前記シャワーヘッドへ切り替えて給水する給水切替手段と、
前記タンクから洗浄用水を取り込んで加圧すると共に脈動を与えて脈動水流として前記ノズルヘッドへ送水するポンプと、
前記ポンプを駆動して前記洗浄用水の吐出制御を行う吐出制御手段と、
前記ノズルヘッドを使用するか、前記シャワーヘッドを使用するか、または両方を同時に使用するかを選択する選択手段と、
前記選択手段の選択に基づいて、前記給水切替手段を制御して給水先を選択すると共に、前記吐出制御手段へ吐出制御の有無を通知する制御手段と、
を備えたことを特徴とする頭皮洗浄器。
【請求項２】
給水設備に組み込んで使用する頭皮洗浄器システムであって、
水道または給湯器等の外部設備から洗浄用水を取り込む洗浄用水取込部と、
前記洗浄用水取込部で取り込まれた洗浄用水を第１流路または第２流路の何れか一方、または両方へ選択的に給水する給水切替手段と、
前記第１流路の途中に配置され、洗浄用水を取り込んで加圧すると共に脈動を与えて脈動水流として送水するポンプと、
前記ポンプを駆動して前記洗浄用水の吐出制御を行う吐出制御手段と、
前記第１流路の吐出口および第２流路の吐出口の両方が配設されたシャワー一体型ノズルヘッドと、
脈動水流を使用するか、脈動しない水流を使用するか、または両方を同時に使用するかを選択する選択手段と、
前記選択手段の選択に基づいて、前記給水切替手段を制御して給水先を選択すると共に、前記吐出制御手段へ吐出制御の有無を通知する制御手段と、を備え、
前記シャワー一体型ノズルヘッド、第１流路の一部、第２流路の一部および選択手段を除く他の部分を建物の給湯設備や水道設備等の給水設備に組み込んだことを特徴とする頭皮洗浄器システム。
【請求項３】
既存のシャワー設備に取り付けて使用する頭皮洗浄器であって、
既存のシャワー設備の給水口に取り付けられ、該給水口から洗浄用水を取り込んで内部に貯めるカバー筐体と、
脈動水流を導水する第１のホースと第２のホースを有する２層ホースと、
前記カバー筐体の内部に貯められた洗浄用水を取り込んで脈動水流を前記第１のホースに送出する脈動水流ユニットと、
前記２層ホースに取り付けられ、前記第１のホースで導水された脈動水流を吐出する第１の吐出口と第２のホースで導水された水流を吐出する第２の吐出口とが設けられたシャワー一体型ノズルヘッドと、
を備え、
前記カバー筐体は、前記給水口から洗浄用水を取り込む取込口と、内部の洗浄用水を前記第２のホースへ送出する送出口とを有し、
前脈動水流ユニットは、洗浄用水を取り込む取込口と、前記第１のホースへ脈動水流を送出する送出口とを有し、
前記脈動水流ユニットを前記カバー筐体内部に収納したことを特徴とする頭皮洗浄器。
【発明の詳細な説明】
【０００１】
【発明の属する技術分野】
この発明は、頭皮洗浄器、頭皮洗浄器システムおよびシャワー一体型ノズルヘッドに関し、より詳細には、脈動水流と通常のシャワー水流（脈動しない水流）の両方の使用が可能な頭皮洗浄器、頭皮洗浄器システムおよびシャワー一体型ノズルヘッドに関する。
【０００２】
【従来の技術】
従来の頭皮洗浄器は、頭皮洗浄に使用する１回分の洗浄用水をタンクに貯水し、ポンプでタンクの洗浄用水を取り込んで加圧すると共に脈動を与えて脈動水流としてノズルヘッドへ送水し、ノズルヘッドから洗浄用水を吐出する構成である。このとき、洗浄効率の向上やマッサージ効果を高める目的で洗浄用水を加圧し、脈動を与えている。具体的には、特開平１１−１９６９２５号公報「頭部・顔部洗浄装置」に開示されているように、洗浄効果や使用感が優れた範囲でピーク水圧および間欠パルス数を調整することにより、常に優れた洗浄効果および使用感（マッサージ感）を得ることができるようにしている。
【０００３】
図８は、従来のタンク式の頭皮洗浄器の一例を示す。頭皮洗浄器８００を使用する場合、使用者はタンク８０１に水を入れた後、頭皮の洗浄を開始する必要がある。このタンクの容量は、頭皮洗浄に最適な１回分の量となるように製造されている。
【０００４】
【発明が解決しようとする課題】
しかしながら、上記従来の頭皮洗浄器によれば、タンクに１回分の洗浄用水を貯めて使用する構成であるため、使用する度にタンクに洗浄用水を入れることが面倒であり、自動給水構造をもった頭皮洗浄器が望まれていた。
【０００５】
また、従来の頭皮洗浄器では、脈動水流を吐出することで十分な洗浄効果や使用感が得られるようにしているが、実際に、頭皮洗浄器を使用する状況では、シャワー水流で洗髪した後、継続して頭皮の洗浄を行う場合が多く、通常のシャワー水流と脈動水流を直ぐに切り替えて使用したいという要望や、既存のシャワー設備に取り付けて使用したいという要望があった。
【０００６】
この発明は上記に鑑みてなされたものであって、使用する度にタンクに洗浄用水を入れる面倒をなくすとともに、シャワー水流と脈動水流を選択的に使用できるようにすることを目的とする。
【０００７】
また、この発明は上記に鑑みてなされたものであって、使用する度にタンクに洗浄用水を入れる面倒をなくすとともに、既存のシャワー設備に取り付けて使用可能な頭皮洗浄器を提供することを目的とする。
【０００８】
【課題を解決するための手段】
上記目的を達成するため、請求項１に係る頭皮洗浄器は、脈動した水流を洗浄用水として吐出するノズルヘッドと、脈動していない水流を洗浄用水として吐出するシャワーヘッドと、洗浄用水を貯水するタンクと、水道または給湯器等の外部設備から洗浄用水を取り込む洗浄用水取込部と、前記洗浄用水取込部で取り込まれた洗浄用水を前記タンクまたは前記シャワーヘッドへ切り替えて給水する給水切替手段と、前記タンクから洗浄用水を取り込んで加圧すると共に脈動を与えて脈動水流として前記ノズルヘッドへ送水するポンプと、前記ポンプを駆動して前記洗浄用水の吐出制御を行う吐出制御手段と、前記ノズルヘッドを使用するか、前記シャワーヘッドを使用するか、または両方を同時に使用するかを選択する選択手段と、前記選択手段の選択に基づいて、前記給水切替手段を制御して給水先を選択すると共に、前記吐出制御手段へ吐出制御の有無を通知する制御手段と、を備えたことを特徴とする。
【０００９】
この発明によれば、脈動した水流を吐出するノズルヘッドと普通のシャワー水流（脈動していない水流）吐出するシャワーヘッドとの２つのヘッドを有しており、ノズルヘッドを使用するか、シャワーヘッドを使用するか、または両方を同時に使用するかを選択することができる。選択手段を介して選択すると、制御手段が、給水切替手段を制御して給水先を選択すると同時に吐出制御手段へ吐出制御の有無を通知し、ノズルヘッドまたは両方が選択されていると、吐出制御手段がポンプを駆動してノズルヘッドから脈動水流を吐出する。一方、シャワーヘッドまたは両方が選択されていると、給水切替手段がシャワーヘッドに切り替えられてシャワーヘッドからシャワー水流が吐出する。
【００１０】
また、請求項２に係る頭皮洗浄器システムは、給水設備に組み込んで使用する頭皮洗浄器システムであって、水道または給湯器等の外部設備から洗浄用水を取り込む洗浄用水取込部と、前記洗浄用水取込部で取り込まれた洗浄用水を第１流路または第２流路の何れか一方、または両方へ選択的に給水する給水切替手段と、前記第１流路の途中に配置され、洗浄用水を取り込んで加圧すると共に脈動を与えて脈動水流として送水するポンプと、前記ポンプを駆動して前記洗浄用水の吐出制御を行う吐出制御手段と、前記第１流路の吐出口および第２流路の吐出口の両方が配設されたシャワー一体型ノズルヘッドと、脈動水流を使用するか、脈動しない水流を使用するか、または両方を同時に使用するかを選択する選択手段と、前記選択手段の選択に基づいて、前記給水切替手段を制御して給水先を選択すると共に、前記吐出制御手段へ吐出制御の有無を通知する制御手段と、を備え、前記シャワー一体型ノズルヘッド、第１流路の一部、第２流路の一部および選択手段を除く他の部分を建物の給湯設備や水道設備等の給水設備に組み込んだことを特徴とする。
【００１１】
また、請求項３に係る頭皮洗浄器は、既存のシャワー設備に取り付けて使用する頭皮洗浄器であって、既存のシャワー設備の給水口に取り付けられ、該給水口から洗浄用水を取り込んで内部に貯めるカバー筐体と、脈動水流を導水する第１のホースと第２のホースを有する２層ホースと、前記カバー筐体の内部に貯められた洗浄用水を取り込んで脈動水流を前記第１のホースに送出する脈動水流ユニットと、前記２層ホースに取り付けられ、前記第１のホースで導水された脈動水流を吐出する第１の吐出口と第２のホースで導水された水流を吐出する第２の吐出口とが設けられたシャワー一体型ノズルヘッドと、を備え、前記カバー筐体は、前記給水口から洗浄用水を取り込む取込口と、内部の洗浄用水を前記第２のホースへ送出する送出口とを有し、前脈動水流ユニットは、洗浄用水を取り込む取込口と、前記第１のホースへ脈動水流を送出する送出口とを有し、前記脈動水流ユニットを前記カバー筐体内部に収納したことを特徴とする。
【００１３】
【発明の実施の形態】
以下に添付図面を参照して、本発明に係る頭皮洗浄器、頭皮洗浄器システムおよびシャワー一体型ノズルヘッドの好適な実施の形態を詳細に説明する。なお、以下に述べるのは、一例であり、特に限定するものではない。
【００１４】
（実施の形態１）
図１は、実施の形態１における頭皮洗浄器１００の外観図を示し、図２は、実施の形態１の頭皮洗浄器１００の概略構成図を示す。実施の形態１における頭皮洗浄器１００は、脈動した水流を洗浄用水として吐出するノズルヘッド１０１と、脈動していない水流を洗浄用水として吐出するシャワーヘッド１０２と、洗浄用水を貯水するタンク１０５と、水道または給湯器等の外部設備から洗浄用水を取り込む洗浄用水取込部１０４と、洗浄用水取込部１０４で取り込まれた洗浄用水をタンク１０５またはシャワーヘッド１０２へ切り替えて給水する給水切替手段としての弁１０６と、タンク１０５から洗浄用水を取り込んで加圧すると共に脈動を与えて脈動水流としてノズルヘッド１０１へ送水するポンプ１０７と、ポンプ１０７を駆動して洗浄用水の吐出制御を行う吐出制御部１０８と、ノズルヘッド１０１を使用するか、シャワーヘッド１０２を使用するか、または両方を同時に使用するかを選択する選択手段としての切替スイッチ１０３と、切替スイッチ１０３の選択に基づいて、弁１０６を制御して給水先を選択すると共に、吐出制御部１０８へ吐出制御の有無を通知する制御手段としての給止水制御部１１１と、を備えている。なお、１１０は水量センサを示し、給止水制御部１１１は、水量センサ１１０の信号を入力して、タンク１０５の水量が所定以下であればタンク１０５へ自動給水を行うと共に、水量が所定以上になったら給止する。
【００１５】
以上の構成において、その動作を説明する。例えば、シャワーヘッド１０２を使用する場合、切替スイッチ１０３をシャワー（すなわち、通常のシャワー水流）に切り替えると、給止水制御部１１１が切替スイッチ１０３の選択状態に従って、弁１０６の状態をシャワーヘッド１０２へ水が供給される状態に切り替える。同時に吐出制御部１０８へ吐出制御なしを通知する。吐出制御部１０８は吐出制御なしの通知を受けると、特に動作せずに待機状態となる。一方、シャワーヘッド１０２からは弁１０６の開放によってシャワー水流が出る。なお、頭皮洗浄器１００に対する水の供給は、前述したように洗浄用水取込部１０４を介して行われる。この洗浄用水取込部１０４は、図１に示すように、通常のシャワーと蛇口の切替タイプの水道設備に接続されており、ここでシャワーを選択すると頭皮洗浄器１００に水が供給される。同様に頭皮洗浄器１００に供給する水量も蛇口の栓で調整可能である。
【００１６】
つぎに、ノズルヘッド１０１を使用する場合、切替スイッチ１０３を脈動（すなわち、脈動水流）に切り替えると、給止水制御部１１１が切替スイッチ１０３の選択状態に従って、弁１０６の状態をタンク１０５へ水が供給される状態に切り替える。同時に吐出制御部１０８へ吐出制御有りを通知する。吐出制御部１０８は吐出制御有りの通知を受けると、ポンプ１０７の吐出制御を開始し、ポンプ１０７から脈動水流がノズルヘッド１０１へ供給され、ノズルヘッド１０１から脈動水流が吐出する。このノズルヘッド１０１からの脈動水流の吐出は、所定時間で停止するようにしても良く、つぎに、シャワーヘッド１０２が選択されるまで継続するようにしても良く、または水の供給が止まったら自動停止するようにしても良い。
【００１７】
両方を使用する場合には、切替スイッチ１０３を両方に切り替えると、給止水制御部１１１は、弁１０６をシャワーヘッド１０２側へ切り替えて、シャワーヘッド１０２に水を供給し、同時に吐出制御部１０８へ吐出制御有りを通知する。これによって吐出制御部１０８は吐出制御を開始するが、この場合、弁１０６から水が供給されないので、タンク１０５の貯水を使い切ったら吐出制御を停止する。タンク１０５の容量が１回分の水量であれば、自動的に停止しても十分に利便性が高いといえる。
【００１８】
前述したように実施の形態１によれば、使用する度にタンクに洗浄用水を入れる面倒をなくすとともに、シャワー水流と脈動水流を選択的に使用できる。また、洗髪後に頭皮の洗浄を行うような場合に、簡単にシャワー水流から脈動水流に変えて頭皮の洗浄が行えるので便利である。
【００１９】
（実施の形態２）
図３は、実施の形態２における頭皮洗浄器システム２００の概略構成図を示し、図４は、操作パネルの説明図を示し、図５は、シャワー一体型ノズルヘッド３００の構成を示す説明図である。頭皮洗浄器システム２００は、給湯設備から洗浄用水を取り込む洗浄用水取込部２０１と、洗浄用水取込部２０１で取り込まれた洗浄用水を第１流路２０２または第２流路２０３の何れか一方、または両方へ選択的に給水する給水切替弁２０４と、第１流路２０２の途中に配置され、洗浄用水を取り込んで加圧すると共に脈動を与えて脈動水流として送水するポンプ２０５と、ポンプ２０５を駆動して洗浄用水の吐出制御を行う制御部２０６と、第１流路２０２の吐出口および第２流路２０３の吐出口の両方が配設されたシャワー一体型ノズルヘッド３００と、脈動水流を使用するか、脈動しない水流を使用するか、または両方を同時に使用するかを選択する選択手段としての操作パネル２０７と、装置各部へ電源を供給する電源２０８と、を備えている。
【００２０】
なお、実施の形態２では、制御部２０６が本発明の制御手段の役割も担い、操作パネル２０７での選択に基づいて、給水切替弁２０４を制御して給水先を選択すると共に、吐出制御手段（ここでは、制御部２０６と同じ）へ吐出制御の有無を通知する。この吐出制御の有無の通知は、実際には制御部２０６で動作するプログラム間でのやり取りとなる。
【００２１】
また、図示のごとく、シャワー一体型ノズルヘッド３００、第１流路２０２の一部（ノズルヘッド３００側）、第２流路２０３の一部（ノズルヘッド３００側）および操作パネル２０７を除く他の部分は、建物の給湯設備に組み込まれている。すなわち、頭皮洗浄器システム２００は、ビルトイン型の頭皮洗浄器システムである。
【００２２】
操作パネル２０７は、図４に示すように、「シャワー」、「シャワー＋脈動ジェット水流」、「脈動ジェット水流」の３つが表示されており、何れかを押下することで、該当する表示内容が選択される。また、本実施の形態では、蛇口２０９の切替部２１０と連動させて「シャワー」、「シャワー＋脈動ジェット水流」、「脈動ジェット水流」を選択できる構成としている。
【００２３】
シャワー一体型ノズルヘッド３００は、図５に示すように、脈動水流を導水する複数の第１のホース３０１を第２のホース３０２の内部に収納した２層ホース３０３に取り付けられ、複数の第１のホース３０１で導水された脈動水流を吐出する第１の吐出口３０４と第２のホース３０２で導水された水流を吐出する第２の吐出口３０５とを有している。ここでは、第１のホース３０１が第１の流路２０２に相当し、第２のホース３０２が第２の流路２０３に相当する。
【００２４】
以上の構成において、その動作を説明する。操作パネル２０７で「シャワー」を選択すると、制御部２０６は、切替弁２０４を制御して第２の流路２０３へ洗浄用水が供給される状態に切り替える。同時に吐出制御なしを制御部２０６内の該当する吐出制御プログラムに通知する。吐出制御なしの場合には、ポンプ２０５を停止状態とする。一方、第２の流路２０３に供給された洗浄用水は、第２の流路２０３（および第２のホース３０２）を通過してシャワー一体型ノズルヘッド３００の第２の吐出口３０５からシャワー水流として送出される。
【００２５】
つぎに、操作パネル２０７で「脈動ジェット水流」を選択すると、制御部２０６は、切替弁２０４を制御して第１の流路２０２へ洗浄用水が供給される状態に切り替える。同時に吐出制御有りを制御部２０６内の該当する吐出制御プログラムに通知する。吐出制御有りの場合には、ポンプ２０５の吐出制御を開始して、第１の流路２０２に供給された洗浄用水をポンプ２０５で加圧すると共に脈動を与えて脈動水流として下流側の第１の流路２０２に送水する。ポンプ２０５から送出された脈動水流（洗浄用水）は、第１の流路２０２（および第１のホース３０１）を通過してシャワー一体型ノズルヘッド３００の第１の吐出口３０４から脈動水流として送出される。
【００２６】
「シャワー＋脈動ジェット水流」が選択された場合には、上記「シャワー」の動作と「脈動ジェット水流」の動作が一緒に実行される。すなわち、切替弁２０４からは第１の流路２０２および第２の流路２０３の両方に洗浄用水が供給され、最終的には、シャワー一体型ノズルヘッド３００の第１の吐出口３０４および第２の吐出口３０５からそれぞれ脈動水流またはシャワー水流が送出される。
【００２７】
前述したように実施の形態２では、給湯設備に組み込まれているので、使用する度にタンクに洗浄用水を入れる面倒をなくすことができる。また、２つの流路を設け、それぞれの流路の吐出口を有するシャワー一体型ノズルヘッドを用いるため、シャワー水流と脈動水流を選択的に使用することができる。また、両方を同時に吐出させることもできる。
【００２８】
（実施の形態３）
図６は、実施の形態３における頭皮洗浄器４００の取付状態を示し、図７は、実施の形態３における頭皮洗浄器４００の概略構成を示している。実施の形態３び頭皮洗浄器４００は、図示のごとく、既存のシャワー設備に取り付けて使用する頭皮洗浄器であって、図６（ａ）に示すように、既存のシャワー設備の給水口５０１から従来のシャワーヘッド５０２を取り外し、給水口５０１に頭皮洗浄器４００を取り付ける構成である。このとき、頭皮洗浄器４００には、図６（ｂ）に示すように、実施の形態３のシャワー一体型ノズルヘッド３００が取り付けられる。
【００２９】
頭皮洗浄器４００は、図６（ｃ）および図７に示すように、給水口５０１から洗浄用水を取り込んで内部に貯めるカバー筐体４０１と、脈動水流を導水する第１のホース３０１を第２のホース３０２の内部に収納した２層ホース３０３（実施の形態２の２層ホース３０３と同一）と、カバー筐体４０１の内部に貯められた洗浄用水を取り込んで脈動水流を第１のホース３０１に送出する脈動水流ユニット（ＴＳ）４０２と、２層ホース３０３に取り付けられ、前記第１のホースで導水された脈動水流を吐出する第１の吐出口と第２のホースで導水された水流を吐出する第２の吐出口とが設けられたシャワー一体型ノズルヘッド３００と、を備えている。
【００３０】
また、カバー筐体４０１は、給水口５０１から洗浄用水を取り込む取込口４０３と、内部の洗浄用水を第２のホース３０２へ送出する送出口４０４とを有している。また、脈動水流ユニット４０２には、洗浄用水を取り込む取込口４０５と、第１のホース３０１へ脈動水流を送出する送出口４０６とを有している。
【００３１】
脈動水流ユニット４０２の内部には、取込口４０５から洗浄用水を取り込んで加圧すると共に脈動を与えて脈動水流として送水するポンプ４０７と、ポンプ４０７から送出された洗浄用水を送出口４０６まで導水する配管４０８と、ポンプ４０７を駆動して洗浄用水の吐出制御を行う制御部４０９と、各部に電源を供給するバッテリ４１０と、が配設されている。
【００３２】
実施の形態３によれば、既存のシャワー設備に取り付けることができるので、使用する度にタンクに洗浄用水を入れる面倒をなくすことができる。また、２つの流路を設け、それぞれの流路の吐出口を有するシャワー一体型ノズルヘッドを用いるため、シャワー水流と脈動水流を同時に吐出させることができる。
【００３３】
【発明の効果】
以上説明したように、本発明の頭皮洗浄器（請求項１）によれば、水道または給湯器等の外部設備から洗浄用水を取り込むと共に、脈動した水流を吐出するノズルヘッドと普通のシャワー水流（脈動していない水流）を吐出するシャワーヘッドとの２つのヘッドを有しており、ノズルヘッドを使用するか、シャワーヘッドを使用するか、または両方を同時に使用するかを選択することができるので、使用する度にタンクに洗浄用水を入れる面倒をなくすとともに、シャワー水流と脈動水流を選択的に使用することができる。また同時に２つ水流を別々の人が使用することもできる。
【００３４】
また、本発明の頭皮洗浄器システム（請求項２）によれば、給水設備に組み込んで使用する頭皮洗浄器システムであるため、使用する度にタンクに洗浄用水を入れる面倒をなくすことができる。また、シャワー水流用流路と脈動水流用の流路の２系統の流路も設け、これらを選択して使用すると共に、２系統の流路の吐出口を１つのノズルヘッド（シャワー一体型ノズルヘッド）に設けたので、１本のノズルヘッドでシャワー水流と脈動水流を選択的に使用することができる。
【００３５】
また、本発明の頭皮洗浄器（請求項３）によれば、既存のシャワー設備の給水口に取り付けられ、該給水口から洗浄用水を取り込んで内部に貯めるカバー筐体と、脈動水流を導水する第１のホースと第２のホースを有する２層ホースと、カバー筐体の内部に貯められた洗浄用水を取り込んで脈動水流を第１のホースに送出する脈動水流ユニットと、２層ホースに取り付けられ、第１のホースで導水された脈動水流を吐出する第１の吐出口と第２のホースで導水された水流を吐出する第２の吐出口とが設けられたシャワー一体型ノズルヘッドとを備え、カバー筐体が給水口から洗浄用水を取り込む取込口と内部の洗浄用水を第２のホースへ送出する送出口とを有し、脈動水流ユニットが洗浄用水を取り込む取込口と第１のホースへ脈動水流を送出する送出口とを有し、脈動水流ユニットをカバー筐体内部に収納する構成であるため、使用する度にタンクに洗浄用水を入れる面倒をなくすとともに、既存のシャワー設備に取り付けて使用可能な頭皮洗浄器を提供することができる。
【図面の簡単な説明】
【図１】実施の形態１における頭皮洗浄器の外観図である。
【図２】実施の形態１における頭皮洗浄器の概略構成図である。
【図３】実施の形態２における頭皮洗浄器システムの概略構成図である。
【図４】操作パネルの説明図である。
【図５】シャワー一体型ノズルヘッドの構成を示す説明図である。
【図６】実施の形態３における頭皮洗浄器の取付状態を示す説明図である。
【図７】実施の形態３における頭皮洗浄器の概略構成図である。
【図８】従来のタンク式の頭皮洗浄器の例を示す説明図である。
【符号の説明】
１００    頭皮洗浄器
１０１    ノズルヘッド
１０２    シャワーヘッド
１０３    切替スイッチ
１０４    洗浄用水取込部
１０５    タンク
１０６    弁（給水切替手段）
１０７    ポンプ
１０８    吐出制御部
１１１    給止水制御
２００    頭皮洗浄器システム
２０１    洗浄用水取込部
２０２    第１流路
２０３    第２流路
２０４    給水切替弁
２０５    ポンプ
２０６    制御部
２０７    操作パネル
３００    シャワー一体型ノズルヘッド
３０１    第１のホース
３０２    第２のホース
３０３    ２層ホース
３０４    第１の吐出口
３０５    第２の吐出口
４００    頭皮洗浄器
５０１    既存のシャワー設備の給水口
４０１    カバー筐体
４０２    脈動水流ユニット
４０３、４０５    取込口
４０４、４０６    送出口
【図１】
0003984058.tif 000002
【図２】
0003984058.tif 000003
【図３】
0003984058.tif 000004
【図４】
0003984058.tif 000005
【図５】
0003984058.tif 000006
【図６】
0003984058.tif 000007
【図７】
0003984058.tif 000008
【図８】
0003984058.tif 000009